(57)【特許請求の範囲】
【請求項１】
シャンクと作業区分とを備え、前記シャンクは、中心に配置された連続的な１つの第１の通路を備え、前記作業区分は、螺旋状に延在する連続的な１つ又は複数の別の通路を備え、前記第１の通路及び前記別の通路は、前記シャンクと前記作業区分とを結合する共通の室に通じている、歯科用ドリルを製造する方法であって、
中心に配置された連続的な１つの第１の通路を備えるシャンクを製造するステップと、
螺旋状に延在する連続的な１つ又は複数の別の通路を備える作業区分を製造するステップと、
前記シャンクと前記作業区分とを焼結化することにより、前記作業区分と前記シャンクとを結合して、前記シャンクと前記作業区分とを結合する室を完全に取り囲む、焼結化された一体的な構成要素を形成するステップと、
を有し、
前記シャンクを製造するために、可塑性材料を、第１の押出成形金型を通ってプレスして、可塑性材料から成る、中心に配置された連続的な前記第１の通路を有する第１のボディを送り出し、前記第１の押出成形金型から離間する前記第１のボディを、設定された第１の長さに定尺切断し、定尺切断された前記第１のボディを、乾燥により固化させ、前記第１のボディを、前記別の通路を有する第２のボディに結合することを特徴とする、歯科用ドリルを製造する方法。
【請求項２】
乾燥により固化された前記第１のボディと前記第２のボディとを、軸方向に相互に当て付けて、相互に当て付けられた前記第１及び第２のボディを加熱して、前記第１及び第２のボディの接触し合う表面が溶融し、接触し合う表面が相互に焼結化されるようにする、請求項１記載の方法。
【請求項３】
シャンクと作業区分とを備え、前記シャンクは、中心に配置された連続的な１つの第１の通路を備え、前記作業区分は、螺旋状に延在する連続的な１つ又は複数の別の通路を備え、前記第１の通路及び前記別の通路は、前記シャンクと前記作業区分とを結合する共通の室に通じている、歯科用ドリルを製造する方法であって、
中心に配置された連続的な１つの第１の通路を備えるシャンクを製造するステップと、
螺旋状に延在する連続的な１つ又は複数の別の通路を備える作業区分を製造するステップと、
前記シャンクと前記作業区分とを焼結化することにより、前記作業区分と前記シャンクとを結合して、前記シャンクと前記作業区分とを結合する室を完全に取り囲む、焼結化された一体的な構成要素を形成するステップと、
を有し、
前記作業区分を製造するために、可塑性材料を、第２の押出成形金型を通ってプレスして、可塑性材料から成る、直線状に延在する前記別の通路を有する第２のボディを送り出し、前記第２の押出成形金型から離間する前記第２のボディを、設定された第２の長さに定尺切断し、定尺切断された前記第２のボディを、摩擦面アセンブリにより、その全長にわたって支持しながら、均等に穿孔するために、転がり運動させ、その際、転がり運動の速度は、全長にわたって線形でありかつ連続的に変化するものであり、穿孔された前記第２のボディを、乾燥により固化させ、前記第２のボディを、前記第１の通路を有する第１のボディに結合することを特徴とする、歯科用ドリルを製造する方法。
【請求項４】
乾燥により固化された前記第２のボディと前記第１のボディとを、軸方向に相互に当て付けて、相互に当て付けられた前記第１及び第２のボディを加熱して、前記第１及び第２のボディの接触し合う表面が溶融し、接触し合う表面が相互に焼結化されるようにする、請求項３記載の方法。
【発明の詳細な説明】
【技術分野】
【０００１】
本発明は、歯科用ドリル及び歯科用ドリルの製造方法に関する。
【０００２】
一体的に構成された歯科用ドリルが既に公知である。この歯科用ドリルは、シャンクと、シャンクに接続する、１つ又は複数の切削区分を有する作業区分とを備える。歯科用ドリルには、シャンクの内側で、中心の冷却剤通路が設けられている。この冷却剤通路は、歯科用ドリルの作業運転中に、冷却剤、特に冷却液を作業区分の領域に搬送する働きをし、そこで作業区分及び患者の目下処理されている歯を冷却するために用いられる。
【０００３】
このような公知の歯科用ドリルでは、前述の冷却剤通路は、シャンクと作業区分との間の領域に通じているので、冷却剤は、既に作業区分の後方の端部の領域で流出し、したがって作業区分の後方の部分しか直接に冷却しない。このようなドリルの欠点は、歯科用ドリルの切削領域の不十分な冷却しか行われないこと、さらに、患者の目下処理されている歯の不十分な冷却しか行われないことにある。
【０００４】
ドイツ連邦共和国特許出願公開第１０２００９０４３８７５号明細書において、歯科用ドリルが記載されている。この歯科用ドリルは、シャンクと、シャンクに結合された作業区分とを備える。シャンクは、中心に配置された連続的な第１の通路を備える。作業区分は、螺旋状に延在する連続的な１つ又は複数の別の通路を備える。シャンクと作業区分との間にギャップが設けられており、このギャップに、第１の通路及び別の通路が通じている。シャンク及び作業区分は、緊締スリーブ、ろう接結合部又は接着結合部により相互に結合されている。
【０００５】
本発明の課題は、切削領域の冷却が改善された、歯科用ドリルを製造する方法及び歯科用ドリルを提供することである。この歯科用ドリルは、シャンクと作業区分との間の領域に、追加的な結合材料、特に緊締スリーブ、ろう接材料や接着材料を必要としない。
【０００６】
この課題は、請求項１に記載された特徴を有する方法もしくは請求項５に記載された特徴を有する歯科用ドリルにより解決される。本発明の好適な態様及び改良形は、従属請求項の対象である。
【０００７】
本発明の利点は、特に、シャンクと作業区分との間の移行領域に視認可能な継ぎ目もしくは接合箇所を全く有しない歯科用ドリルが提供されることにある。さらに、この移行領域に、例えばろう接材料、接着材料又は緊締スリーブのような結合材料が全く設けられていない。このことは、歯科用ドリルの生体親和性が改善されている、という利点を有する。これに関して、歯科用ドリルが歯の処置中に患者の唇、舌及び歯に接触することに意義がある。緊締スリーブ、ろう接材料又は接着材料のような結合材料が存在しないことにより、人体組織に有害な材料が患者の粘膜を介して吸収され、これにより患者の健康が損なわれ得ることがない、ということが保証される。さらに好適には、緊締スリーブ、ろう接結合部又は接着結合部の材料に対するアレルギーを有する患者がこれらの材料に接触する恐れがある、ということが阻止される。
【０００８】
本発明の別の利点は、シャンクと作業区分との間の移行領域におけるシール性の問題の発生が排除されていることにある。このことは、作業区分とシャンクとの焼結化により、シャンクの表面領域に存在する粒子が作業区分の表面領域に存在する粒子と混合して、シャンクと作業区分との接合箇所のない結合部が生じることに起因する。したがって、歯科用ドリルの運転中に冷却液が不都合に流出し得る、視認可能な継ぎ目もしくは接合箇所が存在しない。
【０００９】
さらに、本発明による歯科用ドリルでは、冷却液が、圧力損失なく、螺旋状に延在する別の通路の、シャンクから離れた方の端部領域まで案内され、そこで流出するので、歯科用ドリルの切削領域や患者の処理されている歯も所望に冷却される、ということが保証される。
【００１０】
本発明の別の好適な特性は、図面に基づく本発明の例示的な説明から明らかである。
【図面の簡単な説明】
【００１１】
【図１】本発明の第１の態様による歯科用ドリルの縦断面図である。
【図２】本発明の第２の態様による歯科用ドリルの縦断面図である。
【図３】本発明による歯科用ドリルを製造する方法を説明するための概略図である。
【図４】本発明の第３の態様による歯科用ドリルの縦断面図である。
【００１２】
本発明による歯科用ドリルは、シャンクと作業区分とを備える。シャンクは、中心に配置された連続的な第１の通路を備え、作業区分は、螺旋状に延在する連続的な１つ又は複数の別の通路を備え、第１の通路及び別の通路は、共通の、シャンクと作業区分とを結合する室に通じており、シャンク及び作業区分は、相互に焼結化されている。歯科用ドリルのこのような構成により、歯科用ドリルの作業運転中に、十分な量の冷却剤、特に冷却液を、直接に歯科用ドリルの作業区分の切削領域に搬送することができ、その結果、公知の歯科用ドリルに対して改善された、切削領域及び患者の目下処理されている歯の改善された冷却が達成される。
【００１３】
図１は、本発明の第１の態様による歯科用ドリルを概略縦断面図で示している。この歯科用ドリルは、円筒形に構成されたシャンク１と、同じく円筒形に構成された作業区分２とを備える。シャンク１には、中心に、軸方向に延在する連続的な第１の通路３が設けられている。シャンク１の直径は、ｄ１で表されている。
【００１４】
歯科用ドリルの作業区分２には、螺旋状に延在する連続的な別の２つの通路４ａ及び４ｂが設けられており、通路４ａ，４ｂは、作業区分２の切削領域２ｂに通じている。作業区分２の直径は、ｄ２で表されていて、これは、シャンク１の直径ｄ１に一致する。
【００１５】
作業区分２へのシャンク１の移行領域では、歯科用ドリルの内側に室５が設けられている。この室５は、図１に示された態様では、ディスク状に構成されている。第１の通路３だけでなく螺旋状に延在する別の両方の通路４ａ及び４ｂも室５に通じており、室５は、択一的に、スリット状、円筒形、角形、角張った形状又は円錐形に構成してもよい。
【００１６】
歯科用ドリルの作業運転時には、例えばインプラントをあとで収容するために顎を準備する際、又は患者の歯からう蝕部分を除去する際に、小さな圧力下で、冷却剤、特に冷却液が、図１において下側から第１の通路３に導入される。冷却剤は、直線状に構成された第１の通路３を通流し、作業区分２へのシャンク１の移行領域に設けられた室５を充填し、室５から外へ、螺旋状に延在する別の通路４ａ及び４ｂに進入し、別の通路４ａ及び４ｂを通流し、そのあとで作業区分２の切削領域２ｂにおいて導出される。したがって、歯科用ドリルの作業領域を形成する切削領域だけでなく、患者の目下処理されている歯も、通路４ａ及び４ｂから流出する冷却剤により直接に冷却される。
【００１７】
歯科用ドリルのシャンク１及び作業区分２は、同一の材料又はそれぞれ異なる材料から成っていてよい。好適には、シャンク１は、鋼、セラミック、硬質合金又はプラスチックから成っており、作業区分２は、鋼、セラミック又は硬質合金から成っている。作業区分の切削領域２ｂは、作業区分２の残りの部分と同一の材料から成っていてよく、又は、別の材料から成っていてもよい。
【００１８】
図２は、本発明の第２の態様による歯科用ドリルを概略縦断面図で示している。この歯科用ドリルは、円筒形に構成されたシャンク１と、同じく円筒形に構成された作業区分２とを備える。シャンク１には、中心に、軸方向に延在する連続的な第１の通路３が設けられている。シャンク１の直径は、ｄ１で表されている。
【００１９】
歯科用ドリルの作業区分２には、螺旋状に延在する連続的な別の２つの通路４ａ及び４ｂが設けられており、通路４ａ，４ｂは、作業区分２の切削領域２に通じている。作業区分２の直径は、ｄ２で表されていて、これは、シャンク１の直径ｄ１に一致する。
【００２０】
作業区分２へのシャンク１の移行領域では、歯科用ドリルの内側に室５が設けられている。この室５は、図２に示された態様では、円錐形に構成されているが、別の形状を有してもよい。第１の通路３だけでなく螺旋状に延在する別の両方の通路４ａ及び４ｂも室５に通じている。室５は、図示の態様では、シャンク１に設けられている。択一的に、室５は、作業区分２に設けてもよい。別の態様では、室の一部がシャンク１に設けられていて、室の別の一部が作業区分２に設けられている。
【００２１】
歯科用ドリルの作業運転時には、例えば患者の歯からう蝕部分を除去する際に、圧力下で、冷却剤、特に冷却液が、図２において下側から第１の通路３に導入される。冷却剤は、直線状に構成された第１の通路３を通流し、シャンク１と作業区分２との間に設けられた室５を充填し、室５から外へ、螺旋状に延在する別の通路４ａ及び４ｂに侵入し、別の通路４ａ及び４ｂを通流し、そのあとで作業区分２の切削領域２ｂにおいて導出される。したがって、歯科用ドリルの作業領域を形成する切削領域だけでなく、患者の目下処理されている歯も、通路４ａ及び４ｂから流出する冷却剤により直接に冷却される。
【００２２】
歯科用ドリルのシャンク１及び作業区分２は、同一の材料又はそれぞれ異なる材料から成っていてよい。好適には、シャンク１は、鋼、セラミック、硬質合金又はプラスチックから成っており、作業区分２は、鋼、セラミック又は硬質合金から成っている。作業区分２の切削領域２ｂは、作業区分２の残りの部分と同一の材料から成っていてよく、又は、別の材料から成っていてもよい。
【００２３】
図３は、本発明による歯科用ドリルを製造する方法を説明するための概略図を示している。図３において、ａ及びｂに基づいて、図１に示された歯科用ドリルの製造を説明し、ｃ及びｄに基づいて、図２に示された歯科用ドリルの製造を説明する。
【００２４】
図１に示された歯科用ドリルを製造するために、先ず、シャンク１及び作業区分２が相互に独立して製造される。シャンク１は、図３のｂに示されている。作業区分２は、図３のａに示されている。
【００２５】
シャンク１を製造するために、可塑性材料が第１の押出成形金型を通ってプレスされて、第１の押出成形金型から、可塑性材料から成る、中心に配置された連続的な第１の通路を有する第１のボディが送り出される。第１の押出成形金型から送り出された第１のボディは、円筒形に構成されていて、直径ｄ１を有する。第１の押出成形金型から送り出されたボディは、設定された長さ１１に定尺切断され、次いで乾燥されるので、ボディのコンシステンシーが固化される。
【００２６】
作業区分２を製造するために、可塑性材料は、第２の押出成形金型を通ってプレスされて、第２の押出成形金型から、可塑性材料から成る、直線状に延在する別の通路を有する第２のボディが送り出される。第２の押出成形金型から送り出されたボディは、同じく円筒形に構成されている。第２のボディは、直径ｄ２を有し、この直径ｄ２は、シャンク１の直径ｄ１に一致する。第２の押出成形金型から送り出された第２のボディは、設定された第２の長さｌ２に定尺切断される。定尺切断された第２のボディは、摩擦面アセンブリにより、その全長にわたって支持しながら、均等に穿孔するために、転がり運動させられる。転がり運動の速度は、全長１２にわたって連続的に変化する。これにより、図３のａから看取されるように、当初は直線状に延在する別の通路から、螺旋状に延在する別の通路４ａ及び４ｂが形成される。このようにして製造されたボディは、乾燥されるので、ボディのコンシステンシーが固化される。乾燥されたボディの後方の領域では、研削によりボディに室５が形成され、このボディ５は、図示の態様では、矩形に構成されている。乾燥されたボディの前方の領域では、切削領域２ｂが同じく研削工程により形成される。
【００２７】
そのあとで、図３のａとｂとの間において矢印ｘにより看取されるように、乾燥により固化されたボディは、軸方向に相互に当て付けられて、加熱される。加熱は、次のように行われる。すなわち、加熱は、加熱されたボディの接触し合う表面が融解し、接触し合う表面が相互に焼結化され、表面の結合後に継ぎ目もしくは接合箇所が視認されないように行われる。相互に焼結化されたボディは、続いて更に乾燥されるので、ボディのコンシステンシーは更に固化される。
【００２８】
作業区分とシャンクとの前述の焼結化により、焼結化された一体的な構成要素が形成される。この構成要素は、シャンク１と作業区分２とを結合する室５を完全に取り囲む。したがってシャンクと作業区分との間の移行領域は、あらゆる種類の追加的な結合材料から解放されている。
【００２９】
図２に示された歯科用ドリルを製造するために、先ずシャンク１と作業区分２とが相互に独立して製造される。このシャンク１は、図３のｄに示されている。作業区分２は、図３のｃに示されている。
【００３０】
シャンク１を製造するために、可塑性材料が、第１の押出成形金型を通ってプレスされて、第１の押出成形金型から、可塑性材料から成る、中心に配置された連続的な第１の通路３を有する第１のボディが送り出される。第１の押出成形金型から送り出された第１のボディは、円筒形に構成されていて、直径ｄ１を有する。第１の押出成形金型から送り出されたボディは、設定された長さ１３に定尺切断され、次いで乾燥されるので、ボディのコンシステンシーが固化される。乾燥されたボディの前方の領域で、研削によりボディに室５が形成され、室５は、図示の態様では、円錐形に構成されている。
【００３１】
作業区分２を製造するために、可塑性材料は、第２の押出成形金型を通ってプレスされ、第２の押出成形金型から、可塑性材料から成る、直線状に延在する別の通路を有する第２のボディが送り出される。第２の押出成形金型から送り出されたボディは、同じく円筒形に構成されている。第２のボディは、直径ｄ２を有し、この直径ｄ２は、シャンク１の直径ｄ１に一致する。第２の押出成形金型から送り出された第２のボディは、設定された第２の長さｌ４に定尺切断される。定尺切断された第２のボディは、その全長にわたって支持されながら、均等に穿孔するために、摩擦面アセンブリにより、転がり運動させられる。転がり運動の速度は、全長１４にわたって連続的に変化する。これにより、図３のｃから看取されるように、当初は直線状に延在する別の通路から、螺旋状に延在する別の通路４ａ及び４ｂが形成される。このようにして製造されたボディは、乾燥されるので、ボディのコンシステンシーが固化される。乾燥されたボディの前方の領域では、研削領域２ｂが研削工程により形成される。
【００３２】
そのあとで、図３のｄと図３のｃとの間において矢印ｘにより看取されるように、乾燥により固化されたボディは、軸方向に相互に当て付けられて、加熱される。加熱は、次のように行われ、すなわち、加熱されたボディの接触し合う表面が融解し、接触し合う表面が相互に焼結化され、表面の結合後に継ぎ目もしくは接合箇所が視認されない、ように行われる。相互に焼結化されたボディは、続いて更に乾燥されるので、ボディのコンシステンシーは更に固化される。
【００３３】
作業区分とシャンクとの前述の焼結化により、焼結化された一体的な構成要素が形成される。この構成要素は、シャンク１と作業区分２とを結合する室５を完全に取り囲む。したがってシャンクと作業区分との間の移行領域は、あらゆる種類の追加的な結合材料から解放されている。
【００３４】
図４は、本発明の第３の態様による歯科用ドリルを縦断面図で示している。この第３の態様では、作業区分２へのシャンク１の移行領域に設けられた室５は、スリット状に構成されている。歯科用ドリルの半径方向の室５の幅は、螺旋状に延在する通路４ａ及び４ｂの半径方向の外寸に適合されているので、室５は、半径方向外向きに、螺旋状に延在する通路を越えて突出していない。このことは、図４の右側の図からも看取される。この図は、図４の左側で一点鎖線で示された線Ｓ−Ｓに沿った歯科用ドリルの横断面を示している。
【００３５】
前述の態様では、シャンクは、中心に配置された１つの中心通路をそれぞれ有する。変化態様によれば、歯科用ドリルは、作業領域に設けられた螺旋状に延在する通路がシャンク内に達して、シャンクも完全に貫通するように、構成してもよい。この場合、冷却剤供給路は、歯科用ドリルの図示していないグリップ部材に設けられている。
【００３６】
この場合、グリップ部材には例えば同じく室を設けてもよく、この室を通って、冷却液源から送られる冷却液が、歯科用ドリルの螺旋状に延在する通路に後続案内される。
【符号の説明】
【００３７】
１  シャンク
２  作業区分
２ｂ  作業区分の切削領域
３  第１の通路
４ａ，４ｂ  別の通路
５  室
ｄ１  シャンクの直径
ｄ２  作業区分の直径
ｌ１，ｌ３  シャンクの長さ
ｌ２，ｌ４  作業区分の長さ
【図１】
0005871954.tif 000002
【図２】
0005871954.tif 000003
【図３】
0005871954.tif 000004
【図４】
0005871954.tif 000005